(57)【特許請求の範囲】
【請求項１】
多孔質材料よりなる筆記先端部を備えたチップ本体をインキタンクの先端に接続し、前記インキタンクの内部に、インキと、該インキの後端に配置され且つ筆記先端部からのインキの消費に伴い前進する追従体とを収容した筆記具であって、前記チップ本体の内部に、その先端が筆記先端部近傍に位置し且つその後端が後方に開口する軸方向のインキ流出孔を設け、チップ本体とインキタンクとの間に、筆記時のチップ本体の後方への押圧により開口し、チップ本体の押圧解除により閉鎖する弁孔を有する弁装置を設け、チップ本体の後端に、チップ本体の後退により変形可能な弾性筒部を設け、前記弾性筒部が、弁装置の弁孔からチップ本体のインキ流出孔に至るインキ通路と外気とを遮断してなることを特徴とする筆記具。
【請求項２】
筆記先端部の外面とインキ流出孔の先端との間の軸方向の長さを、０．５ｍｍ〜１０ｍｍの範囲に設定した請求項１記載の筆記具。
【発明の詳細な説明】
【０００１】
【発明の属する技術分野】
本発明は筆記具に関する。詳細には、多孔質材料よりなる筆記先端部を備えたチップ本体をインキタンクの先端に接続し、前記インキタンクの内部に、インキと、該インキの後端に配置され且つ筆記先端部からのインキの消費に伴い前進する追従体とを収容した筆記具に関する。
【０００２】
【従来の技術】
従来、この種の筆記具において、インキタンク内にインキと該インキの消費に伴い前進するインキ逆流防止用の追従体を収容し、前記インキタンクの先端部に多孔質ペン体を接続し、前記多孔質ペン体と前記インキタンクとの間に、多孔質ペン体の後退により弁孔が開口する弁装置を設けた構成が開示されている。（例えば、特開２０００−６５７６号公報、特開２００１−８０２７２号公報等）
【０００３】
【発明が解決しようとする課題】
前記従来の筆記具は、筆記時の多孔質ペン体の後退により弁孔が開口し、インキタンクからインキが多孔質ペン体の後端部に供給される。その後、インキは、多孔質ペン体の後端部から、多孔質ペン体の多孔質組織よりなる毛細間隙を通って、多孔質ペン体の筆記先端部に供給される。前記従来の筆記具は、多孔質ペン体の先端部と後端部との間のインキ供給路が、多孔質ペン体自体の多孔質組織よりなる毛細間隙であるため、そのインキ流通抵抗が大きい。それにより、インキ消費スピードが速い場合（例えば、筆記スピードが速い場合、筆跡幅が太い場合等）やインキの粘度が比較的高い場合、弁孔から筆記先端部に十分な量のインキを迅速に供給できず、筆跡カスレや筆跡途切れを生じさせ易い。
【０００４】
本発明は前記従来の問題点を解決するものであって、インキ消費スピードが速い場合やインキの粘度が比較的高い場合であっても、筆跡カスレや筆跡途切れを生じさせず、十分な量のインキが筆記先端部より吐出可能な筆記具を提供しようとするものである。
【０００５】
【課題を解決するための手段】
〔１〕本発明は、多孔質材料よりなる筆記先端部を備えたチップ本体をインキタンクの先端に接続し、前記インキタンクの内部に、インキと、該インキの後端に配置され且つ筆記先端部からのインキの消費に伴い前進する追従体とを収容した筆記具であって、前記チップ本体の内部に、その先端が筆記先端部近傍に位置し且つその後端が後方に開口する軸方向のインキ流出孔を設け、チップ本体とインキタンクとの間に、筆記時のチップ本体の後方への押圧により開口し、チップ本体の押圧解除により閉鎖する弁孔を有する弁装置を設け、チップ本体の後端に、チップ本体の後退により変形可能な弾性筒部を設け、前記弾性筒部が、弁装置の弁孔からチップ本体のインキ流出孔に至るインキ通路と外気とを遮断してなること（請求項１）を特徴とする。
【０００６】
チップ本体２の内部に軸方向に延びるインキ流出孔２３を設け、前記インキ流出孔２３の先端を筆記先端部２１近傍に位置させ且つ前記インキ流出孔２３の後端をインキタンク方向に開口させてなることにより、チップ本体２の後端から筆記先端部２１までのインキ供給路のインキ流通抵抗を小さくでき、前記インキ流出孔２３内をインキタンク３からの十分な量のインキ３１が迅速に移動し、筆記先端部２１に供給される。そのため、インキ消費スピードが速い場合またはインキ３１の粘度が比較的高い場合であっても、筆跡カスレや筆跡途切れを生じさせるおそれがない。
【０００７】
尚、前記チップ本体２とは、少なくとも多孔質の筆記先端部２１を備えていればよく、例えば、チップ本体２の全体が多孔質材料よりなる構成、または、チップ本体２の筆記先端部２１のみが多孔質材料よりなる構成のいずれであってもよい。前記多孔質材料としては、具体的には、繊維束の熱融着加工体、繊維束の樹脂加工体、フェルトの樹脂加工体、フェルトのニードルパンチ加工体、合成樹脂の連続気泡体が挙げられる。
【０００８】
【０００９】
前記弁装置の弁孔６１が、非筆記時にはチップ本体２の押圧解除により閉鎖されるため、非筆記時において筆記先端部２１が上向き状態の場合には、筆記先端部２１からインキタンク３内への空気の混入を防止でき、一方、非筆記時において筆記先端部２１が下向き状態の場合には、筆記先端部２１からのインキ３１の漏出を防止できる。
【００１０】
尚、前記弁装置は、例えば、弁体が前方へ弾発部材により付勢されて弁孔を塞ぎ、前記弁体がチップ本体とともに後方移動するタイプ、またはチップ本体の後方への押圧により弾性材料よりなる弁孔を変形させ開口させるタイプ等が挙げられる。
【００１１】
【００１２】
インキ３１の消費に伴ってインキ追従体３２が前進するタイプの筆記具は、インキタンク３内に空気が混入することにより筆記不能となるおそれがある。しかし、前記弾性筒部４により、弁装置の弁孔６１からチップ本体２のインキ流出孔２３に至るインキ通路４１と外気とを遮断することによって、インキタンク３内に空気が混入することが防止され、筆記不能となるおそれがない。
【００１３】
尚、前記弾性筒部４を構成する材料としては、例えば、ゴム、エラストマー、多孔質材料等が挙げられる。また、前記弾性筒部４は、チップ本体２の後端部に一体に形成する構成や、弁装置の弁座６の先端部に一体に形成する構成にしてもよい。
【００１４】
〔２〕前記請求項１において、筆記先端部２１の外面とインキ流出孔２３の先端との間の軸方向の長さＬを、０．５ｍｍ〜１０ｍｍの範囲に設定したこと（請求項２）が好ましい。
【００１５】
それにより、筆記先端部２１の十分な強度を維持できると共に、筆跡途切れや筆跡カスレを確実に防止できる。
【００１６】
前記軸方向の長さＬ（即ち、インキ流出孔２３前方の筆記先端部２１の肉厚）が、０．５ｍｍより小さい場合、筆記先端部２１の強度が低下し、筆記時に、インキ流出孔２３の先端が筆記先端部２１から開口し、筆記先端部２１に孔があいてしまうおそれがある。一方、前記軸方向の長さＬが、１０ｍｍより大きい場合、筆記先端部２１の先端とインキ流出孔２３の先端との間のインキ流通抵抗が増加し、筆跡途切れや筆跡カスレを生じさせやすい。
【００１７】
【発明の実施の形態】
本発明の実施の形態を図面に従って説明する。
【００１８】
（第１実施例）
本実施例の図１乃至図３に本発明の第１実施例を示す。
筆記具１は、主に、内部にインキ３１と追従体３２とを収容した軸筒９（インキタンク３を兼ねる）と、該軸筒９の先端部にチップ保持筒９１を介して軸方向に摺動可能に取り付けられるチップ本体２と、該軸筒９の先端開口部に設けた弁装置とからなる。
【００１９】
前記チップ本体２は、合成樹脂の連続気泡体よりなり、その中心部に、横断面円形状の中心孔が軸方向に設けられる。前記中心孔は、先端が筆記先端部２１の近傍に位置し、後端が後方に開口する。前記中心孔の内径は、２ｍｍに設定され、筆記先端部２１の外面と中心孔の先端との間の軸方向の長さＬは、３ｍｍに設定されている。
【００２０】
軸筒９の内部には、インキ３１と、該インキ３１の後端に配置され且つ該インキ３１の消費に伴い前進する追従体３２が収容されている。前記インキ３１は、粘度が、１０ｍＰａ・ｓ〜３００ｍＰａ・ｓ、好ましくは３０ｍＰａ・ｓ〜１００ｍＰａ・ｓ（２０℃）の水性インキまたは油性インキが適用される。前記追従体３２は、高粘度流体３２ａと、該高粘度流体３２ａ中に配置される固形物３２ｂとからなる。また、前記軸筒９の後端開口部には、通気孔が貫設された尾栓９２が固着されている。
【００２１】
弁装置は、軸筒９の先端開口部の内面に固着した筒状のバネ受け部材７と、該バネ受け部材７内部に収容される弾発部材８（圧縮コイルスプリング）及び弁体５と、該バネ受け部材７の内面に固着された筒状の弁座６とからなる。そして、前記弁体５が、弾発部材８により前方に付勢されて弁座６に密接され、弁座６の弁孔６１が閉鎖される。
【００２２】
前記弁体５は、弁座６に密接される環状鍔部よりなる弁部５２と、該弁部５２の前方に突設され且つチップ本体２の中心孔に挿入される棒状の前部５１と、該弁部５２の後方に突設され且つバネ受け部材７の後端孔に貫通される棒状の後部５３とからなる。
【００２３】
前記棒状の前部５１の外面には、その先端部からその後端部（即ち基部）まで延びる軸方向の複数のリブ５１ａ（具体的には放射状のリブ）が形成される。前記棒状の前部５１が、チップ本体２の中心孔に挿入配置されることにより、チップ本体２の中心孔の内面と棒状の前部５１外面との間に、軸方向に延びるインキ流出孔２３が形成される。前記インキ流出孔２３は、チップ本体２の後端からチップ本体２の内部の筆記先端部２１近傍までの位置に軸方向に形成される。本実施例では、前記リブ５１ａにより、インキ流出孔２３内のインキ誘導機能が向上し、より一層、迅速かつ円滑なインキ供給が可能となる。前記インキ流出孔２３の横断面の面積は、０．５ｍｍ2 以上が好ましく、本実施例では、０．６４ｍｍ2 に設定されている。
【００２４】
前記棒状の前部５１は、前側がチップ本体２の中心孔に挿入され、後側が弾性筒部４の内部に挿入される。前記棒状の前部５１の前側は後側より僅かに小さい外径に設定され、前記棒状の前部５１の前側と後側の間に段部５１ｂが形成される。前記段部５１ｂに、チップ本体２の後端が係止される。
【００２５】
前記チップ本体２の後端と弁座６との間には合成樹脂のエラストマーよりなる弾性筒部４が配置される。前記弾性筒部４は、前記弁座６の弁孔６１より前方に突出する筒状部６２内に挿入され、筒状部６２内面の弁孔６１近傍に位置する環状凸部６３に係止している。前記弾性筒部４の内部には弁体５の棒状の前部５１が挿入され、棒状の前部５１外面と弾性筒部４内面との間に、弁孔６１からインキ流出孔２３へインキを供給するインキ通路４１が形成される。前記弾性筒部４は、非筆記時において、その先端がチップ本体２の後端に密接され、その後端が弁座６の内面（具体的には環状凸部６３）に密接され、それにより、インキ通路４１と外気とが遮断される。
【００２６】
筆記時、筆圧により、チップ本体２が、弾発部材８の前方付勢に抗して後方へ押圧されると、弁体５が後方に移動すると同時に弾性筒部４が圧縮変形される。そして、弁体５と弁座６との密接が解除されて、弁孔６１が開口され、インキタンク３からのインキ３１が、即座に、弁孔６１、インキ通路４１、及びインキ流出孔２３を通って筆記先端部２１に供給される。それにより、インキの供給不足による筆跡途切れや筆跡カスレの発生を抑えることができる。
【００２７】
（インキ流出孔の他の例）
図４、図５及び図６に第１実施例のインキ流出孔２３の他の例を示す。
図４に示すインキ流出孔２３は、図３同様のチップ本体２に設けた横断面円形状の中心孔に、図３とは異なる横断面円形状の棒状の前部５１が挿入配置されることにより、前記中心孔内面と前記棒状の前部５１外面との間に形成される、軸方向に延びる環状の隙間よりなる。
【００２８】
図５に示すインキ流出孔２３は、チップ本体２に設けた軸方向に延びる３本の放射状溝よりなる中心孔に、軸方向に延びる３本の放射状のリブ５１ａよりなる棒状の前部５１を挿入配置することにより、前記中心孔内面と前記棒状の前部５１外面との間の形成される、軸方向に延びる隙間よりなる。
【００２９】
図６に示すインキ流出孔２３は、全体が多孔質材料よりなるチップ本体２の中心部に間隔をおいて設けた軸方向に延びる３本の孔よりなる。
【００３０】
（第２実施例）
図７乃至図９に本発明の第２実施例を示す。
本実施例の筆記具１は、主に、内部にインキ３１と追従体３２とを収容したインキタンク３と、該インキタンク３を内部に収容する軸筒９と、該インキタンク３の先端部にチップ保持筒９１を介して軸方向に摺動可能に取り付けられるチップ本体２と、該インキタンク３の先端開口部に設けた弁装置とからなる。
【００３１】
前記チップ本体２は、合成樹脂の連続気泡体よりなる筆記先端部２１と、該筆記先端部２１を先端に保持するホルダー２２とからなる。前記ホルダー部２２は、先端に筆記先端部２１を保持する取付孔が開口され、前記取付孔の後方には取付孔より小さい内径の中心孔が連通され、前記中心孔がホルダー部２２の後端で開口している。前記中心孔は、第１実施例同様、先端が筆記先端部２１の近傍に位置し、後端が後方に開口される。前記中心孔の内径は、２ｍｍに設定され、筆記先端部２１の外面とインキ流出孔２３の先端との間の軸方向の長さＬ（即ち、筆記先端部２１の軸方向の肉厚）は、３ｍｍに設定されている。
【００３２】
前記軸筒９の先端開口部の内面には、インキタンク３の先端部外面が固着され、前記軸筒９の後端開口部の内面には、通気孔が貫設された尾栓９２が固着される。また、前記インキタンク３内には、インキ３１と、該インキ３１の後端に配置され且つ該インキ３１の消費に伴い前進する高粘度流体よりなる追従体３２が収容されている。前記インキ３１は、第１実施例同様、粘度が、１０ｍＰａ・ｓ〜３００ｍＰａ・ｓ、好ましくは３０ｍＰａ・ｓ〜１００ｍＰａ・ｓ（２０℃）の水性インキまたは油性インキが適用される。
【００３３】
尚、インキ流出孔２３は、第１実施例と同様に、軸方向の放射状のリブ５１ａ（具体的には４本のリブ）を備えた棒状の前部５１を、横断面円形状のチップ本体２の中心孔に挿入することにより、棒状の前部５１外面と中心孔内面との間に形成される隙間よりなる。また、前記インキ流出孔２３の横断面の面積は、第１本実施例同様、０．６４ｍｍ2 に設定されている。
【００３４】
尚、弁装置、及び弾性筒部４の構成は、バネ受け部材７がインキタンク３を兼ねる構成以外、第１実施例と同様であるため説明を省略する。
【００３５】
（インキ流出孔の他の例）
図１０、図１１及び図１２に第２実施例のインキ流出孔２３の他の例を示す。
図１０に示すインキ流出孔２３は、ホルダー部２２の内面に軸方向に延びる複数本の放射状のリブ２２ａを一体に突設された中心孔に、横断面円形状の棒状の前部５１が挿入配置されることにより、前記中心孔内面と前記棒状の前部５１外面との間に形成される、軸方向に延びる隙間よりなる。
【００３６】
図１１に示すインキ流出孔２３は、ホルダー部２２の横断面円形状の内孔を軸方向に延びる十字状の隔壁により分割して得た４本の軸方向の孔よりなる。
【００３７】
図１２に示すインキ流出孔２３は、ホルダー部２２の内部に形成される横断面円形状の４本の軸方向に延びる孔よりなる。
【００３８】
【発明の効果】
請求項１により、インキ消費スピードが速い場合やインキの粘度が比較的高い場合であっても、筆跡カスレや筆跡途切れを生じさせず、十分な量のインキが筆記先端部より吐出可能となる。
【００３９】
請求項１により、非筆記時における筆記先端部が上向き状態の場合には、筆記先端部からインキタンク内への空気の混入を防止でき、一方、非筆記時における筆記先端部が下向き状態の場合には、筆記先端部からのインキ漏出を防止できる。
【００４０】
請求項１により、弾性筒部が弁装置の弁孔からチップ本体のインキ流出孔に至るインキ通路と外気とを遮断するため、インキタンク内への空気混入が防止され、筆記不能となるおそれがない。
【００４１】
請求項２により、筆記先端部の十分な強度を維持できると共に、筆跡途切れや筆跡カスレを確実に防止できる。
【図面の簡単な説明】
【図１】本発明の第１実施例の縦断面図である。
【図２】図１の要部拡大縦断面図である。
【図３】図２のＡ−Ａ線断面図である。
【図４】図２のインキ流出孔の他の例を示す断面図である。
【図５】図２のインキ流出孔の他の例を示す断面図である。
【図６】図２のインキ流出孔の他の例を示す断面図である。
【図７】本発明の第２実施例の縦断面図である。
【図８】図７の要部拡大縦断面図である。
【図９】図８のＢ−Ｂ線断面図である。
【図１０】図８のインキ流出孔の他の例を示す断面図である。
【図１１】図８のインキ流出孔の他の例を示す断面図である。
【図１２】図８のインキ流出孔の他の例を示す断面図である。
【符号の説明】
１ 筆記具
２ チップ本体
２１ 筆記先端部
２２ ホルダー部
２２ａ リブ
２３ インキ流出孔
３ インキタンク
３１ インキ
３２ 追従体
３２ａ 高粘度流体
３２ｂ 固形物
４ 弾性筒部
４１ インキ通路
５ 弁体
５１ 棒状の前部
５１ａ リブ
５１ｂ 段部
５２ 弁部
５３ 棒状の後部
６ 弁座
６１ 弁孔
６２ 筒状部
６３ 環状凸部
７ バネ受け部材
８ 弾発部材
９ 軸筒
９１ チップ保持筒
９２ 尾栓
Ｌ 筆記先端部の外面とインキ流出孔の先端との間の軸方向の長さ
【図１】
0004061049.tif 000002
【図２】
0004061049.tif 000003
【図３】
0004061049.tif 000004
【図４】
0004061049.tif 000005
【図５】
0004061049.tif 000006
【図６】
0004061049.tif 000007
【図７】
0004061049.tif 000008
【図８】
0004061049.tif 000009
【図９】
0004061049.tif 000010
【図１０】
0004061049.tif 000011
【図１１】
0004061049.tif 000012
【図１２】
0004061049.tif 000013